(57)【特許請求の範囲】
【請求項１】
カメラ部とディスプレイ部とを有する携帯情報端末装置に装着できるように構成されると共に、該カメラ部により撮影されて該ディスプレイ部に表示される画像を立体視できるように構成された立体視装置において、
前記携帯情報端末装置に装着されるように構成された装着部と、
前記カメラ部のレンズに対向するように前記装着部に取り付けられると共に、被写体からの光を２つの光路に分けることによりステレオ画像を生成するように構成されたレンズ側ユニット部と、
前記カメラ部により撮影されて前記ディスプレイ部に表示される前記ステレオ画像を立体視するための左右２つの接眼部を有するディスプレイ側ユニット部と、
を備え、
該ディスプレイ側ユニット部は、前記２つの接眼部を使って立体視できるように前記ディスプレイ部を閉塞する閉塞位置と該ディスプレイ部を露出させる露出位置とを選択的に取り得る状態で前記装着部に取り付けられた、
ことを特徴とする立体視装置。
【請求項２】
前記レンズ側ユニット部は、前記カメラ部のレンズに対向し得る位置に配置されたプリズムと、被写体からの光を反射して前記プリズムに導く複数のミラーと、を有し、被写体からの光を２つの光路に分けた上で前記カメラ部に到達させて前記ステレオ画像を生成するように構成された、
ことを特徴とする請求項１に記載の立体視装置。
【請求項３】
前記ディスプレイ側ユニット部は、一方の前記接眼部を有すると共に前記ステレオ画像の一側部を閉塞する閉塞位置と該一側部を露出させる露出位置とを選択的に取り得るように構成された第１接眼ユニット部と、他方の前記接眼部を有すると共に前記ステレオ画像の他側部を閉塞する閉塞位置と該他側部を露出させる露出位置とを前記第１接眼ユニット部の位置にかかわらず選択的に取り得るように構成された第２接眼ユニット部と、を有する、
ことを特徴とする請求項１又は２に記載の立体視装置。
【請求項４】
カメラ部と、該カメラ部により撮影された画像を表示するディスプレイ部と、周辺の照度を測定する照度センサと、を有する携帯情報端末装置を制御するためのプログラムであって、
該携帯情報端末装置を、
被写体からの光を２つの光路に分けることによりステレオ画像を生成するように構成されたレンズ側ユニット部と、前記カメラ部により撮影されて前記ディスプレイ部に表示される前記ステレオ画像を立体視するための左右２つの接眼部を有するディスプレイ側ユニット部と、前記レンズ側ユニット部及び前記ディスプレイ側ユニット部を支持すると共に前記携帯情報端末装置に装着できるように構成された装着部と、からなる立体視装置が該携帯情報端末装置に装着されているか否かを検知する装着時検知手段、
前記２つの接眼部を使って立体視できるように前記ディスプレイ部を閉塞する閉塞位置と該ディスプレイ部を露出させる露出位置とを選択的に取り得る状態で前記装着部に取り付けられた前記ディスプレイ側ユニット部がいずれの位置にあるかを、前記照度センサからの情報に基づき判別するディスプレイ側ユニット部位置判別手段、
前記立体視装置が前記携帯情報端末装置に装着されていると前記装着時検知手段が検知すると共に前記ディスプレイ側ユニット部が前記閉塞位置にあると前記ディスプレイ側ユニット部位置判別手段が判別した場合には前記ディスプレイ部に前記ステレオ画像を表示し、前記立体視装置が前記携帯情報端末装置に装着されていると前記装着時検知手段が検知すると共に前記ディスプレイ側ユニット部が前記露出位置にあると前記ディスプレイ側ユニット部位置判別手段が判別した場合には前記ディスプレイ部にメニュー画面を表示するディスプレイ制御手段、
として機能させるためのプログラム。
【請求項５】
前記レンズ側ユニット部は、前記カメラ部のレンズに対向し得る位置に配置されたプリズムと、被写体からの光を反射して前記プリズムに導く複数のミラーと、を有し、被写体からの光を２つの光路に分けた上で前記カメラ部に到達させて前記ステレオ画像を生成するように構成された、
ことを特徴とする請求項４に記載のプログラム。
【請求項６】
前記ディスプレイ側ユニット部は、一方の前記接眼部を有すると共に前記ステレオ画像の一側部を閉塞する閉塞位置と該一側部を露出させる露出位置とを選択的に取り得るように構成された第１接眼ユニット部と、他方の前記接眼部を有すると共に前記ステレオ画像の他側部を閉塞する閉塞位置と該他側部を露出させる露出位置とを前記第１接眼ユニット部の位置にかかわらず選択的に取り得るように構成された第２接眼ユニット部と、を有し、
前記ディスプレイ側ユニット部位置判別手段は、前記第１接眼ユニット部及び／又は前記第２接眼ユニット部の位置を判別し、
前記ディスプレイ制御手段は、前記第１接眼ユニット部及び／又は前記第２接眼ユニット部によって閉塞されていない範囲の前記ディスプレイ部に前記メニュー画面を表示する、
ことを特徴とする請求項４又は５に記載のプログラム。
【請求項７】
前記装着時検知手段は、前記携帯情報端末装置のハードウェアボタン又はソフトウェアボタンが操作されたことにより前記立体視装置が該携帯情報端末装置に装着されていることを検知する、
ことを特徴とする請求項４乃至６のいずれか１項に記載のプログラム。
【請求項８】
前記ディスプレイ側ユニット部が前記閉塞位置にあると前記ディスプレイ側ユニット部位置判別手段が判別した場合に前記ディスプレイ部の輝度を所定の輝度に設定する輝度設定手段、
として機能させるための請求項４乃至７のいずれか１項に記載のプログラム。
【発明の詳細な説明】
【技術分野】
【０００１】
本発明は、携帯情報端末装置のカメラ部により撮影されてディスプレイ部に表示される画像を立体視できるように構成された立体視装置、及びプログラムに関する。
【背景技術】
【０００２】
従来、カメラ部により撮影されてディスプレイ部に表示される画像を立体視できるように構成された立体視装置やプログラムについては種々のものが提案されている（例えば、特許文献１参照）。
【０００３】
図５は、立体視装置の従来構成の一例を示す斜視図であり、符号２１１は、ビデオカメラ３００のレンズに対向する位置に取り付けられてステレオ画像を生成するレンズ側ユニット部を示し、符号２１２は、ビデオカメラ３００のディスプレイ部３０１の側に取り付けられて該ステレオ画像を立体視するための接眼部分（ディスプレイ側ユニット部）を示している。
【先行技術文献】
【特許文献】
【０００４】
【特許文献１】特開平１１−２９８９１７号公報
【発明の概要】
【発明が解決しようとする課題】
【０００５】
しかしながら、スマートフォンなどの携帯情報端末装置に使用できるような適切な構造のものは提案されていなかった。
【０００６】
本発明は、上述の問題を解消することのできる立体視装置、及びプログラムを提供することを目的とするものである。
【課題を解決するための手段】
【０００７】
請求項１に係る発明は、図１及び図２（ａ）（ｂ）に例示するものであって、カメラ部（２０）とディスプレイ部（２１）とを有する携帯情報端末装置（２）に装着できるように構成されると共に、該カメラ部（２０）により撮影されて該ディスプレイ部（２１）に表示される画像を立体視できるように構成された立体視装置（１）において、
前記携帯情報端末装置（２）に装着されるように構成された装着部（１０）と、
前記カメラ部（２０）のレンズ（図２（ａ）（ｂ）の符号２０ａ参照）に対向するように前記装着部（１０）に取り付けられると共に、被写体からの光を２つの光路に分けることによりステレオ画像を生成するように構成されたレンズ側ユニット部（１１）と、
前記カメラ部（２０）により撮影されて前記ディスプレイ部（２１）に表示される前記ステレオ画像を立体視するための左右２つの接眼部（１２ａ，１２ｂ）を有するディスプレイ側ユニット部（１２）と、
を備え、
該ディスプレイ側ユニット部（１２）は、前記２つの接眼部（１２ａ，１２ｂ）を使って立体視できるように前記ディスプレイ部（２１）を閉塞する閉塞位置（図１に実線で示す位置）と該ディスプレイ部（２１）を露出させる露出位置（図１に二点鎖線と符号１２’で示す位置）とを選択的に取り得る状態で前記装着部（１０）に取り付けられたことを特徴とする。
【０００８】
請求項２に係る発明は、請求項１に係る発明において、図２（ａ）（ｂ）に例示するように、前記レンズ側ユニット部（１１）が、前記カメラ部（２０）のレンズ（２０ａ）に対向し得る位置に配置されたプリズム（１１０）と、被写体からの光を反射して前記プリズム（１１０）に導く複数のミラー（１１１Ａ，１１１Ｂ）と、を有し、被写体からの光を２つの光路に分けた上で前記カメラ部（２０）に到達させて前記ステレオ画像を生成するように構成されたことを特徴とする。
【０００９】
請求項３に係る発明は、請求項１又は２に係る発明において、図１に例示するように、前記ディスプレイ側ユニット部（１２）が、一方の前記接眼部（１２ａ）を有すると共に前記ステレオ画像の一側部を閉塞する閉塞位置（実線で示す位置）と該一側部を露出させる露出位置（二点鎖線で示す位置）とを選択的に取り得るように構成された第１接眼ユニット部（１２Ａ）と、他方の前記接眼部（１２ｂ）を有すると共に前記ステレオ画像の他側部を閉塞する閉塞位置（実線で示す位置）と該他側部を露出させる露出位置（二点鎖線で示す位置）とを前記第１接眼ユニット部（１２Ａ）の位置にかかわらず選択的に取り得るように構成された第２接眼ユニット部（１２Ｂ）と、を有することを特徴とする。
【００１０】
請求項４に係る発明は、カメラ部（２０）と、該カメラ部（２０）により撮影された画像を表示するディスプレイ部（２１）と、周辺の照度を測定する照度センサ（２２）と、を有する携帯情報端末装置（２）を制御するためのプログラムであって、
該携帯情報端末装置（２）を、図４に例示するように、
被写体からの光を２つの光路に分けることによりステレオ画像を生成するように構成されたレンズ側ユニット部（１１）と、前記カメラ部（２０）により撮影されて前記ディスプレイ部（２１）に表示される前記ステレオ画像を立体視するための左右２つの接眼部（１２ａ，１２ｂ）を有するディスプレイ側ユニット部（１２）と、前記レンズ側ユニット部（１１）及び前記ディスプレイ側ユニット部（１２）を支持すると共に前記携帯情報端末装置（２）に装着できるように構成された装着部（１０）と、からなる立体視装置（１）が該携帯情報端末装置（２）に装着されているか否かを検知する装着時検知手段（２３）、
前記２つの接眼部（１２ａ，１２ｂ）を使って立体視できるように前記ディスプレイ部（２１）を閉塞する閉塞位置と該ディスプレイ部（２１）を露出させる露出位置とを選択的に取り得る状態で前記装着部（１０）に取り付けられた前記ディスプレイ側ユニット部（１２）がいずれの位置にあるかを、前記照度センサ（２２）からの情報に基づき判別するディスプレイ側ユニット部位置判別手段（２４）、
前記立体視装置（１）が前記携帯情報端末装置（２）に装着されていると前記装着時検知手段（２３）が検知すると共に前記ディスプレイ側ユニット部（１２）が前記閉塞位置にあると前記ディスプレイ側ユニット部位置判別手段（２４）が判別した場合には前記ディスプレイ部（２１）に前記ステレオ画像を表示し、前記立体視装置（１）が前記携帯情報端末装置（２）に装着されていると前記装着時検知手段（２３）が検知すると共に前記ディスプレイ側ユニット部（１２）が前記露出位置にあると前記ディスプレイ側ユニット部位置判別手段（２４）が判別した場合には前記ディスプレイ部（２１）にメニュー画面を表示するディスプレイ制御手段（２５）、
として機能させることを特徴とする。
【００１１】
請求項５に係る発明は、請求項４に記載の発明において、前記レンズ側ユニット部（１１）が、前記カメラ部（２０）のレンズ（２０ａ）に対向し得る位置に配置されたプリズム（１１０）と、被写体からの光を反射して前記プリズム（１１０）に導く複数のミラー（１１１Ａ，１１１Ｂ）と、を有し、被写体からの光を２つの光路に分けた上で前記カメラ部（２０）に到達させて前記ステレオ画像を生成するように構成されたことを特徴とする。
【００１２】
請求項６に係る発明は、請求項４又は５に記載の発明において、前記ディスプレイ側ユニット部（１２）が、一方の前記接眼部（１２ａ）を有すると共に前記ステレオ画像の一側部を閉塞する閉塞位置と該一側部を露出させる露出位置とを選択的に取り得るように構成された第１接眼ユニット部（１２Ａ）と、他方の前記接眼部（１２ｂ）を有すると共に前記ステレオ画像の他側部を閉塞する閉塞位置と該他側部を露出させる露出位置とを前記第１接眼ユニット部（１２Ａ）の位置にかかわらず選択的に取り得るように構成された第２接眼ユニット部（１２Ｂ）と、を有し、
前記ディスプレイ側ユニット部位置判別手段（２４）は、前記第１接眼ユニット部（１２Ａ）及び／又は前記第２接眼ユニット部（１２Ｂ）の位置を判別し、
前記ディスプレイ制御手段（２５）は、前記第１接眼ユニット部（１２Ａ）及び／又は前記第２接眼ユニット部（１２Ｂ）によって閉塞されていない範囲の前記ディスプレイ部（２１）に前記メニュー画面を表示することを特徴とする。
【００１３】
請求項７に係る発明は、請求項４乃至６のいずれか１項に記載の発明において、前記装着時検知手段（２３）が、前記携帯情報端末装置（２）のハードウェアボタン又はソフトウェアボタンが操作されたことにより前記立体視装置（１）が該携帯情報端末装置（２）に装着されていることを検知することを特徴とする。
【００１４】
請求項８に係る発明は、請求項４乃至７のいずれか１項に記載の発明において、前記ディスプレイ側ユニット部（１２）が前記閉塞位置にあると前記ディスプレイ側ユニット部位置判別手段（２４）が判別した場合に前記ディスプレイ部（２１）の輝度を所定の輝度に設定する輝度設定手段（２６）、として機能させることを特徴とする。
【００１５】
なお、括弧内の番号などは、図面における対応する要素を示す便宜的なものであり、従って、本記述は図面上の記載に限定拘束されるものではない。
【発明の効果】
【００１６】
請求項１，２，４，５及び７に係る発明によれば、携帯情報端末装置を使って被写体を立体視することができる。
【００１７】
請求項３及び６に係る発明によれば、必要に応じて前記ディスプレイ部にステレオ画像やメニュー画面を適宜表示することができる。
【００１８】
請求項８に係る発明によれば、ステレオ画像を適正な輝度で表示することができる。
【図面の簡単な説明】
【００１９】
【図１】図１は、本発明に係る立体視装置の構成の一例を示す斜視図である。
【図２】図２（ａ）は、レンズ側ユニット部の構成の一例を示す模式図であり、同図（ｂ）はその斜視図である。
【図３】図３（ａ）は、ディスプレイ部にステレオ画像を表示した様子の一例を示す正面図であり、同図（ｂ）は、該ディスプレイ部にステレオ画像とメニュー画面を表示した様子の一例を示す正面図であり、同図（ｃ）は、該ディスプレイ部に単独の画像（ステレオ画像でない画像）とメニュー画面を表示した様子の一例を示す正面図である。
【図４】図４は、携帯情報端末装置の構成の一例を示すブロック図である。
【図５】図５は、立体視装置の従来構成の一例を示す斜視図である。
【発明を実施するための形態】
【００２０】
以下、図１乃至図４に沿って、本発明の実施の形態について説明する。
【００２１】
本発明に係る立体視装置は、図１及び図２（ａ）（ｂ）に符号１で例示するものであって、カメラ部２０とディスプレイ部２１とを有する携帯情報端末装置２に装着できるように構成されると共に、該携帯情報端末装置２に装着された状態において、該カメラ部２０により撮影されて該ディスプレイ部２１に表示される画像を立体視できるように構成されている。
【００２２】
この立体視装置１は、
・  前記携帯情報端末装置２に装着されるように構成された装着部１０と、
・  前記カメラ部２０のレンズ（図２（ａ）（ｂ）の符号２０ａ参照）に対向するように前記装着部１０に取り付けられるレンズ側ユニット部１１と、
・  前記ディスプレイ部２１に対向し得るように前記装着部１０に取り付けられるディスプレイ側ユニット部１２と、
を備えている。つまり、前記装着部１０は、前記レンズ側ユニット部１１及び前記ディスプレイ側ユニット部１２を支持するように構成されている。
【００２３】
そして、前記レンズ側ユニット部１１は、被写体からの光を２つの光路に分けた上で前記カメラ部２０に到達させて前記ステレオ画像を生成するように構成されている。このレンズ側ユニット部１１は、図２（ａ）（ｂ）に例示するように、
・  前記カメラ部２０のレンズ２０ａに対向し得る位置に配置されたプリズム１１０と、
・  被写体からの光を反射して前記プリズム１１０に導く複数のミラー１１１Ａ，１１１Ｂと、
により構成すると良い。
【００２４】
また、上述したディスプレイ側ユニット部１２は、左右２つの接眼部１２ａ，１２ｂを有しており、前記カメラ部２０により撮影されて前記ディスプレイ部２１に表示される前記ステレオ画像を立体視できるように構成されている。さらに、このディスプレイ側ユニット部１２は、
・  前記２つの接眼部１２ａ，１２ｂを使って立体視できるように前記ディスプレイ部２１を閉塞する閉塞位置（実線で示す位置）と、
・  該ディスプレイ部２１を露出させる露出位置（二点鎖線と符号１２’で示す位置）と、
を選択的に取り得る状態で前記装着部１０に取り付けられている。具体的には、該ディスプレイ側ユニット部１２は該装着部１０に揺動自在となるように取り付けておくと良いが、揺動以外の態様（例えば、該ディスプレイ側ユニット部１２を該装着部１０に対して摺動させる態様や、該ディスプレイ側ユニット部１２を該装着部１０から取り外せるようにした態様）を本発明の範囲から除外するものではない。
【００２５】
本発明によれば、前記携帯情報端末装置２を使って被写体を立体視することができる。
【００２６】
なお、前記カメラ部２０は静止画像及び／又は動画を撮影できるものであれば良く、本発明によれば、それらの静止画像や動画（撮影中の動画や撮影済みの動画）を立体視できることとなる。また、そのような動画は適当な操作によってビデオキャプチャできるようにしても良い。ここで、前記携帯情報端末装置２のハードボタンや前記立体視装置１のハードボタン（不図示）がシャッターボタンとして機能するようにすると良い。例えば、該ボタンを１回押すと静止画像を撮影し、該ボタンを２回続けて押すと動画の撮影を開始するようにしても良い。さらに、該立体視装置１にハードボタンを設ける場合には、該立体視装置１と前記携帯情報端末装置２とがブルートゥース等によって通信できるようにしておくと良い。またさらに、上述したステレオ画像を前記携帯情報端末装置２にてデジタル変倍するようにしたり、或いは、前記レンズ側ユニット部１１に望遠レンズを設けたりして、前記カメラ部２０により撮影している動画をリアルタイムで観察することにより前記立体視装置１を双眼鏡として利用することができるようにすると良いが、それ以外のもの（つまり、デジタル変倍したり望遠レンズを設けたりしないもの）を本発明の範囲から除外するものではない。また、図１に例示する装着部１０は、該携帯情報端末装置２を保護するケース状のものであるが、ケース状でない装着部を有するものを本発明の範囲から除外するものではない。さらに、該携帯情報端末装置２としてはスマートフォンや携帯電話を挙げることができるが、通話機能を有さない装置（例えば、タブレット端末やＰＤＡなど）を本発明の範囲から除外するものではない。
【００２７】
ところで、前記ディスプレイ側ユニット部１２を、
・  一方の前記接眼部１２ａを有する部分（以下、“第１接眼ユニット部”とする）１２Ａと、
・  他方の前記接眼部１２ｂを有する部分（以下、“第２接眼ユニット部”とする）１２Ｂと、
に分けておいて、
・  前記ステレオ画像の一側部（例えば、該ステレオ画像の左半分）を閉塞する閉塞位置と該一側部（正確には、該一側部が表示されている前記ディスプレイ部２１の部分）を露出させる露出位置とを前記第１接眼ユニット部１２Ａが選択的に取り得ると共に、
・  前記ステレオ画像の他側部（例えば、該ステレオ画像の右半分）を閉塞する閉塞位置と該他側部（正確には、該他側部が表示されている前記ディスプレイ部２１の部分）を露出させる露出位置とを前記第２接眼ユニット部１２Ｂが選択的に取り得る、
ように構成しておくと良い。これらの第１及び第２接眼ユニット部１２Ａ，１２Ｂは、
（１）  一体的に連動して動くようにしても、
（２）  一方の接眼ユニット部１２Ａ又は１２Ｂを移動（揺動）させた場合には他方の接眼ユニット部１２Ｂ又は１２Ａも一体的に移動（揺動）するが、他方の接眼ユニット部１２Ｂ又は１２Ａの移動（揺動）は単独でのみ可能であって前記一方の接眼ユニット部１２Ａ又は１２Ｂの移動（揺動）を伴わないようにしても、或いは、
（３）  これらの第１又は第２接眼ユニット部１２Ａ又は１２Ｂは、他方の接眼ユニット部１２Ｂ又は１２Ａの位置にかかわらずそれぞれ独立して移動できるようにしても、
どのようにしても良い。そのようにした場合には、必要に応じて前記ディスプレイ部２１にステレオ画像やメニュー画面を適宜表示することができる。
【００２８】
一方、本発明に係るプログラムは、
・  カメラ部２０と、
・  該カメラ部２０により撮影された画像を表示するディスプレイ部２１と、
・  周辺の照度を測定する照度センサ２２と、
を有する携帯情報端末装置２を制御するためのプログラムである。
【００２９】
また、この携帯情報端末装置２には上述した立体視装置１（つまり、前記カメラ部２０により撮影されて該ディスプレイ部２１に表示される画像を立体視できるように構成された立体視装置１）を装着できるようになっている。
【００３０】
そして、このプログラムは、前記携帯情報端末装置２を、図４に例示するように、
・  前記立体視装置１が該携帯情報端末装置２に装着されているか否かを検知する装着時検知手段２３、
・  前記ディスプレイ側ユニット部１２が前記閉塞位置又は前記露出位置のいずれの位置にあるかを、前記照度センサ２２からの情報に基づき判別するディスプレイ側ユニット部位置判別手段２４、
・  前記ディスプレイ部２１に前記ステレオ画像やメニュー画面を表示するように制御するディスプレイ制御手段２５、
として機能させるようになっている。なお、このディスプレイ制御手段２５は、
・  前記立体視装置１が前記携帯情報端末装置２に装着されていると前記装着時検知手段２３が検知すると共に前記ディスプレイ側ユニット部１２が前記閉塞位置にあると前記ディスプレイ側ユニット部位置判別手段２４が判別した場合には、図３（ａ）に例示するように前記ディスプレイ部２１のほぼ全面に前記ステレオ画像を表示し（撮影画像表示モード）、
・  前記立体視装置１が前記携帯情報端末装置２に装着されていると前記装着時検知手段２３が検知すると共に前記ディスプレイ側ユニット部１２が前記露出位置にあると前記ディスプレイ側ユニット部位置判別手段２４が判別した場合には、図３（ｂ）に例示するように前記ディスプレイ部２１の全面又は一部にメニュー画面を表示する（撮影操作モード）、
ようにすると良い。なお、図３（ｂ）に例示する操作ボタンは、上から順番に、
・  電源のＯＮ／ＯＦＦボタンや、
・  オートフォーカス（ＡＦ）のＯＮ／ＯＦＦボタンや、
・  オート露出（ＡＥ）のＯＮ／ＯＦＦボタンや、
・  オートホワイトバランス（ＡＷＳ）のＯＮ／ＯＦＦボタンや、
・  デジタルズームの調整ボタン
であるが、他の操作ボタンを表示するようにしても良い。また、これらの操作ボタンを前記ディスプレイ部２１に最初から表示するのではなく、これらの操作ボタンを表示するためのボタン（メニューボタン）を最初に表示するようにして、該メニューボタンが操作された場合にのみ図示のような操作ボタンが表示されるようにしても良い。この場合、前記ディスプレイ部２１をタッチパネルとして、該ディスプレイ部２１上で操作（撮影操作や撮影条件の設定などの操作）ができるようにしておくと良い。さらに、図３（ｂ）では左側にステレオ画像を表示しているが、図３（ｃ）のようにステレオ画像でない単独の画像（通常の画像）を表示するようにしても良い。
【００３１】
なお、上述したように前記ディスプレイ側ユニット部１２を前記第１接眼ユニット部１２Ａと前記第２接眼ユニット部１２Ｂとにより構成した場合には、前記ディスプレイ側ユニット部位置判別手段２４は、前記第１接眼ユニット部１２Ａ及び／又は前記第２接眼ユニット部１２Ｂの位置を判別し、前記ディスプレイ制御手段２５は、前記第１接眼ユニット部１２Ａ及び／又は前記第２接眼ユニット部１２Ｂによって閉塞されていない範囲の前記ディスプレイ部２１に前記メニュー画面を表示するようにすると良い。そして、前記携帯情報端末装置２のハードボタンや前記立体視装置１のハードボタン（不図示）を操作することにより、必要なメニューを選択して実行できるようにすると良い。ここで、該立体視装置１のハードボタンで操作する場合には、該立体視装置１と前記携帯情報端末装置２とがブルートゥース等によって通信できるようにしておくと良い。また、前記装着時検知手段２３による前記立体視装置１が装着されているか否かの検知は、前記照度センサ２２や他のセンサによって前記ディスプレイ側ユニット部１２を検知することによって行っても良く、或いは、他のセンサによって前記装着部１０や前記レンズ側ユニット部１１を検知することによって行っても良い。そして、これらのセンサからの信号によって、前記カメラ部２０の撮影モードを「モノラルモード（つまり、ステレオ画像を撮影しないモード）」から「ステレオモード（つまり、ステレオ画像を撮影するモード）」に自動的に切り換えるようにしても良い。
【００３２】
さらに、前記装着時検知手段２３は、前記携帯情報端末装置２のハードウェアボタン又はソフトウェアボタンが操作されたことにより前記立体視装置１が該携帯情報端末装置２に装着されていることを検知するようにすると良い。
【００３３】
またさらに、前記プログラムは、前記携帯情報端末装置２を、前記ディスプレイ側ユニット部１２が前記閉塞位置にあると前記ディスプレイ側ユニット部位置判別手段２４が判別した場合に前記ディスプレイ部２１の輝度を所定の輝度に設定する輝度設定手段２６、として機能させるようにしても良い。そのようにした場合には、前記ステレオ画像を適正な輝度で表示することができる。
【符号の説明】
【００３４】
１          立体視装置
２          携帯情報端末装置
１０        装着部
１１        レンズ側ユニット部
１２        ディスプレイ側ユニット部
１２ａ，１２ｂ      接眼部
１２Ａ      第１接眼ユニット部
１２Ｂ      第２接眼ユニット部
２０        カメラ部
２０ａ      レンズ
２１        ディスプレイ部
２２        照度センサ
２３        装着時検知手段
２４        ディスプレイ側ユニット部位置判別手段
２５        ディスプレイ制御手段
２６        輝度設定手段
１１０      プリズム
１１１Ａ，１１１Ｂ  ミラー
【図１】
0006410548.tif 000002
【図２】
0006410548.tif 000003
【図３】
0006410548.tif 000004
【図４】
0006410548.tif 000005
【図５】
0006410548.tif 000006